(57)【要約】【課題】施工の効率の悪化を軽減させる、吐水装置、吐水装置の取付け構造、パッキンを提供する。【解決手段】吐水装置１は、水と湯の量を調整する弁を収納するケース１１を備える。ケース１１は、背面に貫通孔７２ｄを有する。貫通孔７２ｄの周囲には、パッキン２が取付けられる。パッキン２は、貫通孔７２ｄと連通する連通孔２１と、連通孔２１の下方以外の周囲に設けられるスリット２２と、を備えることを特徴とする。【選択図】図１
2015110877.tif 000002
【特許請求の範囲】
【請求項１】
水と湯の量を調整する弁を収納するケースを備え、
前記ケースは、背面に貫通孔を有し、
前記貫通孔の周囲には、パッキンが取付けられ、
前記パッキンは、前記貫通孔と連通する連通孔と、前記連通孔の下方以外の周囲に設けられるスリットと、を備えることを特徴とする吐水装置。
【請求項２】
前記パッキンに設けられる前記スリットが、複数設けられる前記連通孔の間に設けられることを特徴とする請求項１記載の吐水装置。
【請求項３】
請求項１又は請求項２に記載されている前記吐水装置が、前記パッキンを介して壁に固定されることを特徴とする吐水装置の取付け構造。
【請求項４】
壁に固定される吐水装置の内部又は前記壁の内部に液体が浸入しないように取付けられるパッキンであって、厚み方向に貫通する連通孔と、前記連通孔の下方以外の周囲に設けられるスリットと、を備えることを特徴とするパッキン。
【請求項５】
前記スリットが、複数設けられる前記連通孔の間に設けられることを特徴とする請求項４記載のパッキン。
【発明の詳細な説明】
【技術分野】
【０００１】
本発明は、吐水装置、吐水装置の取付け構造、パッキンに関するものである。
【背景技術】
【０００２】
従来、浴室等の壁に固定される吐水装置のケースの背面部と、壁との間にパッキンが設けられたものが知られている（例えば特許文献１参照）。
【先行技術文献】
【特許文献】
【０００３】
【特許文献１】特開平１０−３０６４７９号公報
【発明の概要】
【発明が解決しようとする課題】
【０００４】
ところで、特許文献１に記載されている発明のパッキンは、ケースの背面部の上端及び側端に取付けられ、浴室内等の壁を伝ってきた水がケースの内部に浸入しないようにしている。しかし、多量の水が浴室等の壁を伝ってきた場合、一重のパッキンでは、ケースの背面部と壁との間の水密性を保つことができず、ケースの内部に水が浸入してしまう虞があった。
【０００５】
そこで、パッキンを二重に設け、水密性を向上させることが考えられる。しかし、施工の際に、作業者が夫々のパッキンを別々に位置合わせして取付けなければならず、施工の効率が悪化してしまう虞があった。
【０００６】
本発明は上記従来の問題点に鑑みて発明したものであって、その目的とするところは、止水性を向上させても、施工の効率の悪化を軽減させる、吐水装置、吐水装置の取付け構造、パッキンを提供することを課題とするものである。
【課題を解決するための手段】
【０００７】
上記課題を解決するために、本発明は、以下のような構成とする。
【０００８】
水と湯の量を調整する弁を収納するケースを備え、前記ケースは、背面に貫通孔を有し、前記貫通孔の周囲には、パッキンが取付けられ、前記パッキンは、前記貫通孔と連通する連通孔と、前記連通孔の下方以外の周囲に設けられるスリットと、を備えることを特徴とする。
【０００９】
また、前記パッキンに設けられる前記スリットが、複数設けられる前記連通孔の間に設けられることが好ましい。
【００１０】
前記吐水装置が、前記パッキンを介して壁に固定されることを特徴とする。
【００１１】
壁に固定される吐水装置の内部又は前記壁の内部に液体が浸入しないように取付けられるパッキンであって、厚み方向に貫通する連通孔と、前記連通孔の下方以外の周囲に設けられるスリットと、を備えることを特徴とする。
【００１２】
また、前記スリットが、複数設けられる前記連通孔の間に設けられることが好ましい
【発明の効果】
【００１３】
本発明の吐水装置は、配線や配管等が挿通される連通孔の下方以外の周囲にスリットを配置したパッキンを、化粧ケースの固定部の貫通孔と連通孔とを連通させて取付ける。パッキンは、内側パッキンと外側パッキンとに分かれた二重パッキンと同様の効果を持つ一枚のパッキンを化粧ケースに取付けるだけで済むので、施工の効率の悪化を軽減することができる。
【００１４】
本発明の吐水装置の取付け構造は、二重パッキンと同様の止水性能を有したパッキンを備えた吐水装置が壁に固定されるので、壁の内部に水を浸入し難くすることができる。
【００１５】
本発明のパッキンは、配線や配管等が挿通される連通孔の下方以外の周囲にスリットを配置して設けられる。パッキンは、一枚の板ゴム等の材料で形成されているが、スリットを設けることにより、二重パッキンと同様の効果を得ることができる。
【図面の簡単な説明】
【００１６】
【図１】第一実施形態の吐水装置を斜め前方から視た分解斜視図である。
【図２】第一実施形態の吐水装置を斜め後方から視た斜視図である。
【図３】第一実施形態の吐水装置を壁に取付けたときの側面図である。
【図４】第一実施形態のパッキンの正面図である。
【図５】第二実施形態のパッキンの正面図である。
【発明を実施するための形態】
【００１７】
以下、本発明の第一の実施形態について図１乃至図４に基づいて説明する。
【００１８】
吐水装置１は、本実施形態では、図１、２に示すように、水と湯の量を調整する弁を収納するケース１１を備える。ケース１１は、本実施形態では、水と湯の流量を調整する弁を収納し、弁の開度を調整する制御部（図示せず）を収納する収納ケース３を備える。ケース１１は、本実施形態では、収納ケース３を覆い外観を向上させる化粧ケース６を備える。本実施形態のケース１１は、収納ケース３を化粧ケース６で覆う二重構造となっているが、化粧ケース６のみで弁や制御部を覆う構造であってもよい。
【００１９】
制御部は、例えば、制御基板に実装されたマイクロプロセッサを主構成要素とする。制御部は、吐水装置１の適切な場所に取付けられた流量センサから入力された流量値に基づいて、電気的に接続された弁を制御する。弁は、例えば電磁弁が考えられるが、吐水装置１の取付けられる場所に応じて適切なものが用いられる。なお、ハンドルによって手動で操作する弁を併用してもよい。
【００２０】
収納ケース３は、本実施形態では、図１に示すように、上面部３１と、側面部３２と、背面部３３と、正面部３４と、底面部３５と、を有する合成樹脂製の箱体に形成される。上面部３１と側面部３２と正面部３４と底面部３５とは、一体に成形され、後方に開口する。この開口の周縁に、背面部３３が固着具を介して固定される。なお、固着具は例えばビスが考えられるが、限定されない。
【００２１】
上面部３１は、本実施形態では、図１に示すように、上板３１ａと、上板３１ａの上面に設けられたリブ部４と、上板３１ａの後端から立ち上げられた立設部３１ｂと、上板３１ａの前端部に設けられた係止部３１ｃと、を備える。
【００２２】
リブ部４は、上板３１ａの上面から上方に突出する。リブ部４は、本実施形態では、大リブ４１と、小リブ４２と、を有する。大リブ４１は、小リブ４２よりも突出高さが大きく形成される。大リブ４１と小リブ４２は、本実施形態では、上面部３１の左右方向に一定の間隔で並んで設けられる。
【００２３】
小リブ４２の間には、本実施形態では、図１に示すように、立設部３１ｂの前面に沿った箇所に、バックアップ片４３が設けられる。バックアップ片４３は、本実施形態では、金属片によって形成される。バックアップ片４３には、本実施形態では、雌ねじ部４３ａが設けられる。
【００２４】
立設部３１ｂの上端は、本実施形態では、大リブ４１の上端と同じ高さに位置する。立設部３１ｂには、本実施形態では、雌ねじ部４３ａと連通し固着具が挿通する挿通孔（図示せず）が設けられる。
【００２５】
係止部３１ｃは、本実施形態では、図１に示すように、断面視Ｌ字状に設けられる。係止部３１ｃは、上板３１ａの左右方向の全長に亘って設けられる。
【００２６】
正面部３４は、本実施形態では、図１に示すように、上面部３１の前端から、前方に向かう程下方に位置するように傾斜して設けられる。正面部３４は、前面が前斜め上方に臨む。正面部３４には、操作部５が取付けられる。
【００２７】
操作部５は、本実施形態では、ハンドルによって手動で操作されるものではなく、スイッチによって操作されるものとなる。操作部５は、収納ケース３内に収納された制御部に電気的に接続される。操作部５は、本実施形態では、表示部５１と、押しボタン５２と、を備える。表示部５１は、本実施形態では、液晶パネルによって構成され、制御部によって表示が制御される。押しボタン５２は、例えばタクタイルスイッチとなり、押圧操作されると、制御部に信号を出力する。
【００２８】
側面部３２は、本実施形態では、図１に示すように、上面部３１の左右方向の両端に下方に向かって設けられる。側面部３２には、本実施形態では、平面視略Ｕ字状の受け部３２ａが設けられる。受け部３２ａは、本実施形態では、片側に三カ所設けられているが、その数は限定されない。
【００２９】
底面部３５は、本実施形態では、正面部３４の下端から背面部３３の下端までの全長に亘って設けられる。底面部３５は、本実施形態では、側面部３２の下端縁に沿った断面形状をしており、段状に形成されている。底面部３５には、本実施形態では、吐出口３５ａが設けられる。また底面部３５の下端部（最も下方に位置する下面）には、給湯菅８３を挿通するための孔（図示せず）と、給水管８４を挿通するための孔（図示せず）と、が設けられる。
【００３０】
背面部３３は、本実施形態では、図１に示すように、上面部３１と側面部３２と正面部３４と底面部３５とで形成される後方開口の周縁に固着具により固定され、前記開口を水密的に覆う。
【００３１】
背面部３３には、本実施形態では、図２に示すように、収納ケース３内部に収納される制御部の電気配線を取出すための取出し部３３ａが、後方に向かって突出して設けられる。取出し部３３ａは、本実施形態では、二ヵ所設けられているが、その数は限定されない。取出し部３３ａは、本実施形態では、円筒状となっているが、形状は限定されない。取出し部３３ａの内部には、本実施形態では、電気配線が挿通される取出し孔３３ｂが設けられる。なお、取出し部３３ａが設けられず、背面部３３に取出し孔３３ｂのみを設けてもよい。また、取出し孔３３ｂから取出せるものは電気配線に限られず、配管が取出されてもよい。なお、取出し孔３３ｂの電気配線や配管等との間の隙間を、ゴム栓やシリコーンゴム等を用いて埋めることが好ましい。これにより、取出し孔３３ｂの部分から収納ケース３内部に水が浸入し難くなる。
【００３２】
化粧ケース６は、本実施形態では、図１、２に示すように、収納ケース３の上面部３１と背面部３３とを覆う天板部７と、収納ケース３の側面部３２と底面部３５とを覆う外郭部６１と、給湯菅８３と給水管８４とを覆う配管カバー６２と、を備える。
【００３３】
天板部７は、本実施形態では、図１に示すように、上面部３１の上に配置して設けられる天面部７１と、天面部７１の後端部から下方に突出して設けられる固定部７２と、を有する。天面部７１と固定部７２とは、本実施形態では、金属板を曲げ加工することで断面略Ｌ字状に設けられ、一体に形成される。
【００３４】
天面部７１は、本実施形態では、平坦部７１ａと、下り傾斜部７１ｂと、段部７１ｃと、を備える。平坦部７１ａは、収納ケース３上に取付けられると、水平に配置して設けられる。下り傾斜部７１ｂは、本実施形態では、平坦部７１ａの前端に設けられる。下り傾斜部７１ｂは、前方に向かう程下方に位置するように傾斜する。段部７１ｃは、下り傾斜部７１ｂの前端に設けられ、断面Ｌ字状に形成されている。
【００３５】
固定部７２は、本実施形態では、浴室等の壁８に固定される。固定部７２には、本実施形態では、図１、２に示すように壁８に取付けられるハンガー８１に引掛けられる第一固定孔７２ａと、壁８にねじ込まれる固着具を挿通する第二固定孔７２ｂと、が設けられる。また、固定部７２には、本実施形態では、収納ケース３を固定する固着具が挿通する第三固定孔７２ｃが設けられる。なお、第三固定孔７２ｃは、固定部７２の左右方向に所定の間隔で複数個所に設けられ、上下方向に離れて設けられる。固定部７２の下端の両端部には、本実施形態では、シャワー配管を固定するための支持片７３が設けられる。
【００３６】
固定部７２は、本実施形態では、図１、２に示すように、厚み方向に貫通して設けられる貫通孔７２ｄを有する。貫通孔７２ｄは、本実施形態では、二ヵ所設けられているが、設けられる数は限定されない。貫通孔７２ｄには、本実施形態では、取出し部３３ａが挿通される。なお、取出し部３３ａが設けられない場合には、取出し孔３３ｂが貫通孔７２ｄと連通する。
【００３７】
なお、固定部７２には、本実施形態では、後述するパッキン２が嵌め込まれる嵌め込み部が貫通孔７２ｄの周囲に設けられるのが好ましい。嵌め込み部は、パッキン２の形状に沿って、固定部７２の厚み方向に凹没する。嵌め込み部があることにより、パッキン２の固定部７２への位置決めと取り付けを容易に行うことができる。
【００３８】
外郭部６１には、本実施形態では、図２に示すように、吐出口３５ａを挿通するための開口（図示せず）が設けられる。また、外郭部６１の内面には、本実施形態では、収納ケース３に引掛けられる取付け爪６１ａが設けられる。外郭部６１は、本実施形態では、合成樹脂によって形成されるが、材質は限定されない。
【００３９】
配管カバー６２は、本実施形態では、図１、２に示すように、外郭部６１の下端部に取付けられる。配管カバー６２は、壁８内から浴室内に向かって配管された給湯菅８３及び給水管８４を覆うカバーとなっている。配管カバー６２は、本実施形態では、前面は外郭部６１の前面と面一になり、側面は外郭部６１の側面と面一になる。
【００４０】
貫通孔７２ｄの周囲には、本実施形態では、図１、２に示すように、パッキン２が取付けられる。パッキン２は、壁に固定される吐水装置１の内部又は壁８の内部に液体（水）が浸入しないように取付けられる。パッキン２は、貫通孔７２ｄの周囲を囲むように設けられる。パッキン２は、本実施形態では、図１に示すように、固定部７２の内面と外面との両方に設けられる。なお、パッキン２は固定部７２の外面のみに設けられてもよい。
【００４１】
パッキン２は、貫通孔７２ｄと連通する連通孔２１と、連通孔２１の下方以外の周囲に設けられるスリット２２と、を備える。パッキン２のスリット２２は、本実施形態では、両連通孔２１の左側方、上方及び右側方を連続して設けられる。パッキン２は、本実施形態では、図４に示すように、正面視略矩形状となっているが、その形状は限定されない。
【００４２】
連通孔２１は、本実施形態では、パッキン２の厚み方向に貫通する。連通孔２１は、本実施形態では、上下に長い長孔となっているが、その形状は限定されない。連通孔２１には、本実施形態では、貫通孔７２ｄを挿通する取出し部３３ａが挿通される。なお、取出し部３３ａが設けられなかった場合、取出し孔３３ｂと貫通孔７２ｄと連通孔２１が連通することになる。連通孔２１は、本実施形態では、図４に示すように、二ヵ所に設けられるが、その数は限定されない。
【００４３】
スリット２２は、本実施形態では、パッキン２の厚み方向に貫通する。スリット２２は、本実施形態では、線状に設けられる。パッキン２と固定部７２の間又はパッキン２と壁８の間に侵入し、上側のスリット２２に浸入してきた水は、スリット２２内を伝って左右のスリット２２に移動し、下方へ排水される。左右のスリット２２に浸入してきた水は、スリット２２を伝って下方に移動し排水される。
【００４４】
パッキン２に、本実施形態のように、連通孔２１が複数設けられる場合を考える。このとき、スリット２２が、最も左側の連通孔２１の左側方と、最も右側の連通孔２１の右側方と、連通孔２１の上方と、を連通して設けられることが好ましい。そして、連通孔２１の上方のスリット２２は、中間部から左右のスリット２２の上端に行く程下方に傾斜あるいは湾曲することが好ましい。この傾斜あるいは湾曲を設けることにより、上方のスリット２２に浸入した水が、左右のスリット２２に流れ易くなり、パッキン２の止水性能を向上させることができる。
【００４５】
壁８には、本実施形態では、図２に示すように、吐水装置１を固定するためのハンガー８１が取付けられる。ハンガー８１は、本実施形態では、壁８に固定される固定片８１ａと、固定片８１ａの上端に設けられる引掛け片８１ｂと、で形成される。引掛け片８１ｂは、本実施形態では、壁８に固定片８１ａが固定されると、壁８と隙間を介して配置される。
【００４６】
壁８には、吐水装置１から取出される配管や配線が引入れられる引入れ孔８２が設けられる。引入れ孔８２は、本実施形態では、円状となっているが、その形状は限定されない。引入れ孔８２には、本実施形態では、図３に示すように、取出し部３３ａが挿入される。引入れ孔８２の大きさは、本実施形態では、取出し部３３ａの大きさよりも大きく形成される。これにより、吐水装置１の第一固定孔７２ａにハンガー８１の引掛け片８１ｂを挿入し、第一固定孔７２ａの上端縁に引掛ける、という作業を行ない易くなる。
【００４７】
上記した構成の吐水装置１は、以下のようにして壁８に取付けられる。
【００４８】
作業者は、収納ケース３に天板部７を固定する。作業者は、天板部７の天面部７１の段部７１ｃの先端を、収納ケース３の係止部３１ｃに差し込み、天板部７の固定部７２の前面を収納ケース３の背面部３３の後面に当てた状態にする。この状態で、作業者は、天板部７の固定部７２の第三固定孔７２ｃに固着具を挿入し、固定部７２と収納ケース３を連結する。このとき、天板部７の天面部７１の下面は、収納ケース３の大リブ４１の上端に当たり、小リブ４２の上端と近接対向する。作業者は、外郭部６１の取付け爪６１ａを収納ケース３の受け部３２ａに挿入し、外郭部６１を収納ケース３に固定する。作業者は、ハンガー８１を壁８に固定する。作業者は、第一固定孔７２ａにハンガー８１の引掛け片８１ｂを挿入し、吐水装置１を下方に移動させ、第一固定孔７２ａの上端縁にハンガー８１の引掛け片８１ｂを引掛けさせる。この状態で、作業者は、第二固定孔７２ｂに固着具を挿入し、固定部７２を壁８に固定する。作業者は、給湯菅８３と給水管８４とを、吐水装置１側の給湯菅８３と給水管８４とにそれぞれ接続する。そして、作業者は、配管カバー６２を設置し、吐水装置１の壁８への設置が完了する。
【００４９】
上記した構成のパッキン２は、配線や配管等が挿通される連通孔２１の下方以外の周囲にスリット２２を配置して設けられる。水は、パッキン２の上方から又は側方から内側に浸入してくるが、下方から内側には浸入し難いので、連通孔２１の下方にスリット２２は設けられていない。パッキン２は、連通孔２１の下方で繋がった状態で、スリット２２の外側部分とスリット２２の内側部分に分割される。パッキン２は、スリット２２の外側部分で水を止水することができる。パッキン２は、スリット２２の外側部分から侵入してきた水をスリット２２で受け、側方に設けられるスリット２２へ流して、下方に排水することができる。パッキン２は、スリット２２から更に内側へ侵入しようとする水を、スリット２２の内側パッキンにより止水することができる。パッキン２は、一枚の板ゴム等の材料で形成されているが、スリット２２を設けることにより、二重パッキンと同等の効果を得ることができる。
【００５０】
上記した構成の吐水装置１では、配線や配管等が挿通される連通孔２１の下方以外の周囲にスリット２２を配置したパッキン２を、連通孔２１を貫通孔７２ｄが重なるように取付けることにより、化粧ケース６の固定部７２に貫通孔７２ｄと連通孔２１とを連通させて取付ける。パッキン２は、連通孔２１の下方で繋がった状態で、スリット２２の外側部分とスリット２２の内側部分に分割される。従って、パッキン２は、一枚の板ゴムでありながら、二枚の板ゴム等と同様の止水性能をえることができる。そして、一枚のパッキン２を化粧ケース６に取付けるだけで済むので、施工の効率の悪化を軽減することができる。
【００５１】
上記した構成の吐水装置１の取付け構造では、二重パッキンと同等の止水性能を有したパッキン２を備えた吐水装置１が壁８に固定されるので、壁８の内部に水を浸入し難くすることができる。
【００５２】
次に、第二の実施形態について図５に基づいて説明する。第二の実施形態は、第一の実施形態の変形例であり、第一の実施形態と同じ部分については同符号を付して説明を省略する。
【００５３】
パッキン２には、連通孔２１が複数設けられる。スリット２２が、最も左側の連通孔２１の左側方と、最も右側の連通孔２１の右側方と、連通孔２１の上方と、を連通して設けられる。更に、パッキン２に設けられるスリット２２が、複数設けられる連通孔２１の間に設けられる。
【００５４】
上記した構成のパッキン２では、スリット２２の外側から浸入してきた水を、下方へ排水する上下方向に長さを有するスリット２２の数が増えている。従って、パッキン２の排水性能を向上させることができる。また、連通孔２１の間に設けられるスリット２２は、本実施形態では、図５に示すように、上方のスリット２２の下端からパッキン２の下端まで設けられる。これにより、連通孔２１の間に設けられるスリット２２に浸入してきた水は、パッキン２の外部に更に排水し易くなっている。なお、連通孔２１の間に設けられるスリット２２は、上方のスリット２２の下端からパッキン２の下端まで設けられなくともよい。
【００５５】
第一実施形態の吐水装置１、吐水装置１の取付け構造、パッキン２、及び第二実施形態のパッキン２は、以下のような構成となっている。
【００５６】
吐水装置１は、水と湯の量を調整する弁を収納するケース１１を備える。ケース１１は、背面に貫通孔７２ｄを有する。貫通孔７２ｄの周囲には、パッキン２が取付けられる。パッキン２は、貫通孔７２ｄと連通する連通孔２１と、連通孔２１の下方以外の周囲に設けられるスリット２２と、を備えることを特徴とする。
【００５７】
これにより、内側パッキンと外側パッキンとに分かれた二重パッキンと同様の効果を持つ一枚のパッキン２を化粧ケース６に取付けるだけで済むので、施工の効率の悪化を軽減することができる。
【００５８】
また、パッキン２に設けられるスリット２２が、複数設けられる連通孔２１の間に設けられることが好ましい。
【００５９】
これにより、スリット２２の外側から浸入してきた水を、下方へ排水する上下方向に長さを有するスリット２２の数が増えている。従って、パッキン２の排水性能を向上させることができる。
【００６０】
吐水装置１が、パッキン２を介して壁８に固定されることを特徴とする。
【００６１】
二重パッキンと同等の止水性能を有したパッキン２を備えた吐水装置１が壁８に固定されるので、壁８の内部に水を浸入し難くすることができる。
【００６２】
パッキン２は、壁８に固定される吐水装置１の内部又は壁８の内部に液体が浸入しないように取付けられる。パッキン２は、厚み方向に貫通する連通孔２１と、連通孔２１の下方以外の周囲に設けられるスリット２２と、を備えることを特徴とする。
【００６３】
これにより、一枚の板ゴム等の材料で形成されているが、スリット２２を設けることにより、二重パッキンと同等の効果を得ることができる。
【００６４】
また、スリット２２が、複数設けられる連通孔２１の間に設けられることが好ましい。
【００６５】
これにより、スリット２２の外側から浸入してきた水を、下方へ排水する上下方向に長さを有するスリット２２の数が増えている。従って、パッキン２の止水性能を向上させることができる。
【符号の説明】
【００６６】
１    吐水装置
１１  ケース
２    パッキン
２１  連通孔
２２  スリット
３    収納ケース
６    化粧ケース
７    天板部
７２  固定部
７２ｄ  貫通孔
８    壁
【図１】
2015110877.tif 000003
【図２】
2015110877.tif 000004
【図３】
2015110877.tif 000005
【図４】
2015110877.tif 000006
【図５】
2015110877.tif 000007